(57)【特許請求の範囲】
【請求項１】
電波を放射するホーンアンテナと、
前記ホーンアンテナが放射した前記電波を受けて、当該電波を放射軸方向に反射する反射鏡と、
を備え、
前記反射鏡は、
放射軸を含む第１平面により分割される２つの領域のうち、一方の領域の前記電波を反射する反射面であって、前記放射軸方向から見て前記第１平面に直交する方向に伸びる複数の線条部材からなるグリッドにより構成される第１グリッド反射面を有する第１反射面と、
当該２つの領域のうち、他方の領域の前記電波を反射する反射面であって、前記放射軸方向から見て前記第１平面に直交する方向に伸びる複数の線条部材からなるグリッドにより構成され第２グリッド反射面を有する第２反射面と、
前記放射軸を含み、且つ、前記第１平面と直交する第２平面より分割される２つの領域のうち、一方の領域の前記電波を反射する反射面であって、前記放射軸方向から見て前記第２平面に直交する方向に伸びる複数の線条部材からなるグリッドにより構成される第３グリッド反射面を有する第３反射面と、
当該２つの領域のうち、他方の領域の前記電波を反射する第４反射面と、
を有し、
前記第１反射面、前記第２反射面、前記第３反射面、及び前記第４反射面は、前記放射軸方向において、それぞれ異なる位置に配置され、
前記第３反射面は、前記第１反射面と前記第３反射面との前記放射軸方向における位置の違い、及び前記第３反射面の形状により、前記放射軸方向に直交する面である放射面において、前記第３反射面で反射した前記電波の位相を前記第１反射面で反射した前記電波の位相に対して９０度遅延させ、
前記第２反射面は、前記第１反射面と前記第２反射面との前記放射軸方向における位置の違い、及び前記第２反射面の形状により、前記放射面において、前記第２反射面で反射した前記電波の位相を前記第１反射面で反射した前記電波の位相に対して１８０度遅延させ、
前記第４反射面は、前記第１反射面と前記第４反射面との前記放射軸方向における位置の違い、及び前記第４反射面の形状により、前記放射面において、前記第４反射面で反射した前記電波の位相を前記第１反射面で反射した前記電波の位相に対して２７０度遅延させること
を特徴とするアンテナ装置。
【請求項２】
前記第４反射面は、前記放射軸方向から見て前記第２平面に直交する方向に伸びる複数の線条部材からなるグリッドにより構成される第４グリッド反射面を有すること
を特徴とする請求項１記載のアンテナ装置。
【請求項３】
前記第１反射面は、前記第１グリッド反射面により構成され、
前記第２反射面は、前記第２グリッド反射面により構成され、
前記第３反射面は、前記第３グリッド反射面により構成され、
前記第４反射面は、前記第４グリッド反射面により構成されたこと
を特徴とする請求項２記載のアンテナ装置。
【請求項４】
前記第３グリッド反射面は、前記放射軸方向から見て、前記第１グリッド反射面と重ならない前記第３反射面における領域に配置され、
前記第２グリッド反射面は、前記放射軸方向から見て、前記第３グリッド反射面と重ならない前記第２反射面における領域に配置されたこと
を特徴とする請求項１記載のアンテナ装置。
【請求項５】
前記第１反射面は、前記第１グリッド反射面により構成され、
前記第３グリッド反射面は、前記放射軸方向から見て、前記第２反射面と重なる前記第３反射面における領域に配置され、
前記第２グリッド反射面は、前記放射軸方向から見て、前記第４反射面と重なる前記第２反射面における領域に配置されたこと
を特徴とする請求項４記載のアンテナ装置。
【請求項６】
前記反射鏡は、前記反射鏡で反射した前記電波が、前記ホーンアンテナに当たらない方向に向かって、前記ホーンアンテナが放射した前記電波を反射するように配置されたこと
を特徴とする請求項１から請求項５のいずれか１項記載のアンテナ装置。
【請求項７】
前記反射鏡は、前記反射鏡で反射した前記電波が、前記ホーンアンテナが放射した前記電波の進行方向に対して９０度異なる方向に向かって、前記ホーンアンテナが放射した前記電波を反射するように配置されたこと
を特徴とする請求項６記載のアンテナ装置。
【発明の詳細な説明】
【技術分野】
【０００１】
この発明は、アンテナ装置に関するものである。
【背景技術】
【０００２】
反射鏡アンテナの一次放射器であるホーンアンテナが、円形導波管のＴＭ０１モード、又は同軸線路のＴＥＭモードで電波を励振する場合について考える。ホーンアンテナが励振した電波は、ホーンアンテナの開口部（以下、単に「開口部」という。）から放射される。
円形導波管のＴＭ０１モード、又は同軸線路のＴＥＭモードで形成された電波による電界は、開口部において、開口部の中央を中心とする放射状に生じる。したがって、開口部における電界は、開口部の中央を対称の中心とする任意の点対称の２点における位相が、互いに逆位相となる。なお、開口部における磁界は、開口部の中央を中心とする同心円状に生じる。そのため、ホーンアンテナから放射される電波による電界は、ホーンアンテナから放射される電波が進行する方向（以下「ホーン軸方向」という。）にヌルとなるドーナツ型の放射パターンが形成される。【０００３】
ホーンアンテナから放射される電波は、ホーン軸方向にヌルとなるドーナツ型の放射パターンを有したまま、反射鏡に到達し、反射鏡で反射する。反射鏡で反射した電波による電界は、ホーンアンテナから放射される電波による放射パターンと同様に、反射鏡で反射した電波が進行する方向（以下「放射軸方向」）にヌルとなるドーナツ型の放射パターンを有することになる。
例えば、非特許文献１には、反射鏡で反射した電波による電界に放射軸方向にピークを生じさせるために、反射鏡に段差を設ける方法が開示されている。非特許文献１に開示された反射鏡に段差を設ける方法により、放射軸方向に直交する面（以下「放射面」という。）において、反射鏡で反射した電波による電界の位相を揃えることができる。
【先行技術文献】
【非特許文献】
【０００４】
【非特許文献１】Ｃｌｉｆｔｏｎ  Ｃ．  Ｃｏｕｒｔｎｅｙ  ａｎｄ  Ｃａｒｌ  Ｅ．  Ｂａｕｍ、“Ｔｈｅ  Ｃｏａｘｉａｌ  Ｂｅａｍ−Ｒｏｔａｔｉｎｇ  Ａｎｔｅｎｎａ  （ＣＯＢＲＡ）：Ｔｈｅｏｒｙ  ｏf  Ｏｐｅｒａｔｉｏｎ  ａｎｄ  Ｍｅａｓｕｒｅｄ  Ｐｅｒｆｏｒｍａｎｃｅ”、［online］、２０００年２月、ＩＥＥＥ  ＴＲＡＮＳＡＣＴＩＯＮＳ  ＯＮ  ＡＮＴＥＮＮＡＳ  ＡＮＤ  ＰＲＯＰＡＧＡＴＩＯＮ，ＶＯＬ.４８，ＮＯ．２、ｐ．２９９−３０９、［２０１９年６月２５日検索］、インターネット＜ＵＲＬ：https://ieeexplore.ieee.org/document/833080＞
【発明の概要】
【発明が解決しようとする課題】
【０００５】
しかしながら、反射鏡に段差を設けることにより反射鏡で反射した電波による電界の位相を揃える従来の方法では、ホーンアンテナから放射される電波が有する互いに直交する２つの偏波成分のうち、一方の偏波成分は、放射面において、位相が同位相化され、当該偏波成分による電界は、放射軸方向にピークを有するものになる。これに対して、他方の偏波成分は、放射面において、位相が逆位相のままとなるため、当該偏波成分による電界は、逆位相のもの同士が打ち消し合い、放射軸方向にヌルとなってしまう。【０００６】
より具体的には、非特許文献１に開示されている従来の反射鏡は、円形の反射鏡の反射面に段差を設けることにより、ホーンアンテナの開口部からの距離が互いに異なる２つの反射面を有している。また、当該反射鏡は、２つの反射面同士を接続する接続面を有している。反射鏡の反射面に段差を設けることにより、放射面において、反射鏡で反射した電波による電界の位相を揃える従来の方法では、接続面に直交する方向の偏波成分（以下「直交偏波成分」という。）は、放射面において、位相が同位相化され、直交偏波成分による電界は、放射軸方向にピークを有するものになる。これに対して、直交偏波成分に直交する偏波成分、すなわち、接続面に平行な方向の偏波成分（以下「平行偏波成分」という。）は、放射面において、位相が逆位相のままとなるため、平行偏波成分による電界は、逆位相のもの同士が打ち消し合い、放射軸方向にヌルとなってしまう。なお、非特許文献１に開示されている従来の反射鏡は、ホーンアンテナの開口部からの距離が互いに異なる２つの反射面を有しているだけではなく、２つの反射面のそれぞれは、放射面において位相が揃うようにそれぞれの形状が加工されている。【０００７】
円形導波管によるＴＭ０１モード、又は同軸線路によるＴＥＭモードで形成された電波は、開口部の中央を中心とするドーナツ状の放射パターンを有するため、それぞれの偏波成分が半分ずつとなる。上述のとおり、平行偏波成分による電界は、放射軸方向にヌルとなってしまうため、平行偏波成分による電力は、放射軸方向の放射に寄与しない。つまり、アンテナ利得は、半分以下となり、３ｄＢ（デシベル）以上低下してしまう。【０００８】
この発明は、上述の問題点を解決するためのもので、２つの偏波成分の両方を有効に活用して、アンテナ利得を改善することができるアンテナ装置を提供することを目的としている。
【課題を解決するための手段】
【０００９】
この発明に係るアンテナ装置は、電波を放射するホーンアンテナと、ホーンアンテナが放射した電波を受けて、当該電波を放射軸方向に反射する反射鏡と、を備え、反射鏡は、放射軸を含む第１平面により分割される２つの領域のうち、一方の領域の電波を反射する反射面であって、放射軸方向から見て第１平面に直交する方向に伸びる複数の線条部材からなるグリッドにより構成される第１グリッド反射面を有する第１反射面と、当該２つの領域のうち、他方の領域の電波を反射する反射面であって、放射軸方向から見て第１平面に直交する方向に伸びる複数の線条部材からなるグリッドにより構成され第２グリッド反射面を有する第２反射面と、放射軸を含み、且つ、第１平面と直交する第２平面より分割される２つの領域のうち、一方の領域の電波を反射する反射面であって、放射軸方向から見て第２平面に直交する方向に伸びる複数の線条部材からなるグリッドにより構成される第３グリッド反射面を有する第３反射面と、当該２つの領域のうち、他方の領域の電波を反射する第４反射面と、を有し、第１反射面、第２反射面、第３反射面、及び第４反射面は、放射軸方向において、それぞれ異なる位置に配置され、第３反射面は、第１反射面と第３反射面との放射軸方向における位置の違い、及び第３反射面の形状により、放射軸方向に直交する面である放射面において、第３反射面で反射した電波の位相を第１反射面で反射した電波の位相に対して９０度遅延させ、第２反射面は、第１反射面と第２反射面との放射軸方向における位置の違い、及び第２反射面の形状により、放射面において、第２反射面で反射した電波の位相を第１反射面で反射した電波の位相に対して１８０度遅延させ、第４反射面は、及び第１反射面と第４反射面との放射軸方向における位置の違い、及び第４反射面の形状により、放射面において、第４反射面で反射した電波の位相を第１反射面で反射した電波の位相に対して２７０度遅延させるように構成した。
【発明の効果】
【００１０】
この発明によれば、２つの偏波成分の両方を有効に活用して、アンテナ利得を改善することができる。
【図面の簡単な説明】
【００１１】
【図１】図１Ａ、図１Ｂ、及び図１Ｃは、従来方法における、円形導波管のＴＭ０１モード、又は同軸線路のＴＥＭモードで励振された電波が、反射鏡における反射面に入射された際の、入射波が有する電界ベクトル、及び反射波が有する電界ベクトルの一例を示す図である。
【図２】図２は、実施の形態１に係るアンテナ装置の要部の構成の一例を示す図である。
【図３】図３は、実施の形態１に係る反射鏡を分解した一例を示す分解図である。
【図４】図４は、実施の形態１に係る反射鏡が有する第１反射面、第２反射面、第３反射面、及び第４反射面の、それぞれに入射する入射波が有する電界ベクトル、及び、それぞれで反射する反射波が有する電界ベクトルの一例を示す図である。
【図５】図５は、実施の形態１に係るアンテナ装置におけるホーンアンテナと反射鏡との相対的な配置の一例を示す図である。
【図６】図６は、実施の形態１に係るアンテナ装置におけるホーンアンテナと反射鏡との相対的な配置の一例を示す図である。
【図７】図７は、実施の形態１に係るアンテナ装置におけるホーンアンテナと反射鏡との相対的な配置の一例を示す図である。
【図８】図８は、実施の形態２に係るアンテナ装置の要部の構成の一例を示す図である。
【図９】図９は、実施の形態２に係る反射鏡を分解した一例を示す分解図である。
【図１０】図１０は、実施の形態２に係る反射鏡が有する第１反射面、第２反射面、第３反射面、及び第４反射面の、それぞれに入射する入射波が有する電界ベクトル、及び、それぞれで反射する反射波が有する電界ベクトルの一例を示す図である。
【発明を実施するための形態】
【００１２】
以下、この発明の実施の形態について、図面を参照しながら詳細に説明する。
【００１３】
実施の形態１．
図１から図７を参照して実施の形態１に係るアンテナ装置１００について説明する。
実施の形態１に係るアンテナ装置１００の構成を説明する前に、まず、図１を参照して、反射鏡１２０の反射面に段差を設けることにより、反射鏡で反射した電波（以下「反射波」という。）による電界の位相を揃える従来の方法（以下「従来方法」という。）について説明する。
図１Ａ、図１Ｂ、及び図１Ｃは、従来方法における、円形導波管のＴＭ０１モード、又は同軸線路のＴＥＭモードで励振された電波が、反射鏡１２０における反射面に入射された際の電波（以下「入射波」という。）が有する電界ベクトル、及び反射波が有する電界ベクトルの一例を示す図である。
【００１４】
図１Ａ、図１Ｂ、及び図１Ｃに示すように、ホーンにより、円形導波管のＴＭ０１モード、又は同軸線路のＴＥＭモードで励振された電波は、放射状の電界ベクトルを有する。当該電波は、電界ベクトル１０を有した状態で反射鏡１２０における反射面１６，１７，１８に入射する。反射面１６，１７，１８に入射した電波である入射波は、反射面で反射する。反射した電波である反射波は、予め定められた方向である放射軸方向に向かって進行する。なお、放射軸は、当該反射波の放射面における中央に位置するものであるとする。
【００１５】
図１Ａは、反射鏡１２０が一様に平坦な反射面１６を有する場合において、入射波が反射面１６に入射した際の、入射波が有する電界ベクトル、及び反射波が有する電界ベクトルの一例を示す図である。
図１Ａに示すように、当該場合、反射面１６に入射した入射波は、入射波と同一の位相条件を有したまま反射面１６で反射する。すなわち、反射面１６で反射した反射波は、入射波が有する電界ベクトル１０と同様の電界ベクトル１１を有した状態となる。電界ベクトル１１を有する反射波の電界は、反射波の進行方向である放射軸方向に直交する面、すなわち放射面における反射波の中央を対称の中心とする点対称な位置の電界ベクトル同士が打ち消し合うことにより、反射波の進行方向である放射軸方向にヌルとなる。
【００１６】
図１Ｂは、反射鏡１２０が、反射面１７で反射した反射波のうち、反射面１７の図１Ｂにおける右半分で反射する反射波が、左半分で反射する反射波に対して、１８０度の位相差となるような従来の反射面１７を有する場合において、入射波が反射面１７に入射した際の、入射波が有する電界ベクトル、及び、反射波が有する電界ベクトルの一例を示す図である。
図１Ｂに示すように、当該場合、反射面１７に入射した入射波は、反射面１７で反射し、反射面１７で反射した反射波のうち、反射面１７の図１Ｂにおける右半分で反射した反射波は、位相が反転する。そのため、反射面１７で反射した反射波は、電界ベクトル１２を有した状態となる。したがって、電界ベクトル１２を有する反射波の電界は、反射波の進行方向である放射軸方向に直交する面、すなわち放射面において、反射波の中央を対称の中心とする点対称な位置の電界ベクトル同士の図１Ｂにおける横方向の成分が同一の方向になるため、電界ベクトル１２を合成すると、図１Ｂに示す電界ベクトル１３のようになる。反射面１７で反射した反射波の電界は、電界ベクトル１３のようになるため、反射波の進行方向である放射軸方向にピークを生じるようになる。
【００１７】
図１Ｂに示す反射面１７は、反射面１７の図１Ｂにおける右半分で反射した反射波が、左半分で反射した反射波に対して放射面全体で逆位相となるように、図１Ｂにおける右半分における反射面と、左半分における反射面とを、入射波の進行方向にずらして配置したものである。より具体的には、反射面１７の図１Ｂにおける右半分は、左半分を基準として、入射波の進行方向に、入射波の１／４波長分ずらして配置されている。
【００１８】
ここで、電波は、水平偏波及び垂直偏波の両方を有する。図１Ｂにおける下方向が鉛直方向になるように図１Ｂに示す反射面１７が配置される場合、電波における水平方向に振動する水平偏波は、電界ベクトル１３を有するものとなるため、反射波の進行方向である放射軸方向にピークを生じるようになる。一方、電波における垂直方向に振動する偏波である垂直偏波は、反射波の進行方向である放射軸方向に直交する面、すなわち放射面における反射波の中央を対称の中心とする点対称な位置の電界ベクトル同士が打ち消し合うことにより、反射波の進行方向である放射軸方向にヌルとなる。円形導波管のＴＭ０１モード、又は同軸線路のＴＥＭモードで励振された電波は、水平偏波成分の大きさと、垂直偏波成分の大きさとが等しい。したがって、上述のように、垂直偏波の電界は、反射波の進行方向である放射軸方向にヌルであり、垂直偏波成分が示す電力は、反射波の進行方向である放射軸方向における放射に寄与しないため、アンテナ利得は、半分以下となり３ｄＢ以上低下してしまう。
【００１９】
図１Ｃは、反射鏡１２０が、反射面１８で反射した反射波のうち、反射面１８の図１Ｃにおける下半分で反射する反射波が、上半分で反射する反射波に対して、１８０度の位相差となるような従来の反射面１８を有する場合において、入射波が反射面１８に入射した際の、入射波が有する電界ベクトル、及び反射波が有する電界ベクトルの一例を示す図である。
図１Ｃに示すように、当該場合、反射面１８に入射した入射波は、反射面１８で反射し、反射面１８で反射した反射波のうち、反射面１８の図１Ｂにおける下半分で反射した反射波は、位相が反転する。そのため、反射面１８で反射した反射波は、電界ベクトル１４を有した状態となる。したがって、電界ベクトル１４を有する反射波の電界は、反射波の進行方向である放射軸方向に直交する面、すなわち放射面における反射波の中央を対称の中心とする点対称な位置の電界ベクトル同士の図１Ｃにおける縦方向の成分が同一の方向になるため、電界ベクトル１４を合成すると、図１Ｃに示す電界ベクトル１５のようになる。反射面１８で反射した反射波の電界は、電界ベクトル１５のようになるため、反射波の進行方向である放射軸方向にピークを生じるようになる。
図１Ｃに示す反射面１８は、図１Ｂに示す反射面を時計回りに９０度回転させたものであるため、詳細な説明を省略する。
【００２０】
図２を参照して、実施の形態１に係るアンテナ装置１００の構成について説明する。
図２は、実施の形態１に係るアンテナ装置１００の要部の構成の一例を示す図である。
アンテナ装置１００は、ホーンアンテナ１１０、及び反射鏡１２０を備える。
ホーンアンテナ１１０は、一次放射器として動作する。図２に示すホーンアンテナ１１０は、軸対称な円形導波管を有する円錐ホーンアンテナである。ホーンアンテナ１１０は、円形導波管において、ＴＭ０１モードで電波を励振し、ホーンアンテナ１１０の開口部（以下、単に「開口部」という。）から、励振した電波をホーン軸方向に向かって放射する。
【００２１】
実施の形態１では、ホーンアンテナ１１０は、一例として、ＴＭ０１モードで励振した電波を放射する円錐ホーンアンテナであるものとして説明するが、ホーンアンテナ１１０は、円錐ホーンアンテナに限定されるものでない。ホーンアンテナ１１０は、例えば、同軸線路において、ＴＥＭモードで電波を励振する同軸ホーンアンテナであっても良い。また、図２では、ホーンアンテナ１１０が有する導波管は、一例として、単純な形状を有する円形導波管を示しているが、ホーンアンテナ１１０が有する導波管は、複モードホーン、コルゲートホーン、又はリニアテーパホーン等の、喉元において軸対称なモードで電波を励振し、開口部において軸対称なモードで励振した電波が反射鏡１２０において維持されるものであれば、ホーンアンテナ１１０の形式は限定されるものではない。
【００２２】
反射鏡１２０は、ホーンアンテナ１１０が開口部から放射した電波を受けて、当該電波を反射する。反射鏡１２０における反射面で反射した電波である反射波は、反射鏡１２０が配置される向きに対応する予め定められた方向である放射軸方向に向かって進行する。
なお、放射軸は、反射波の放射面における中央に位置するものであるとする。放射軸は、反射波の放射面における完全なる中央に位置するものとは限らず、中央とは略中央を含むものである。
【００２３】
図３は、実施の形態１に係る反射鏡１２０を分解した一例を示す分解図である。
反射鏡１２０は、例えば、図３に示すように、第１反射面１３０、第２反射面１４０、第３反射面１５０、及び第４反射面１６０により構成される。
【００２４】
第１反射面１３０は、放射軸を含む第１平面により分割される２つの領域のうち、一方の領域の電波を反射する反射面であって、放射軸方向から見て第１平面に直交する方向に伸びる複数の線条部材からなるグリッドにより構成される第１グリッド反射面１３１を有する。
より具体的には、例えば、図３に示す第１反射面１３０は、半円形状を有し、放射軸を含む水平平面（以下、単に「水平平面」という。）により分割される２つの領域のうち、ホーンアンテナ１１０の開口部から見て、水平平面に対して図３における下側の領域の電波を反射する反射面である。図３に示す第１反射面１３０は、放射軸方向から見て水平平面に直交する方向に伸びる複数の線条部材からなるグリッドにより構成される第１グリッド反射面１３１を有する。実施の形態１に係る第１反射面１３０は、第１グリッド反射面１３１により構成される。すなわち、第１反射面１３０は、第１グリッド反射面１３１により、ホーンアンテナ１１０の開口部から見て、水平平面に対して図３における下側の領域の電波を反射する。
【００２５】
第１グリッド反射面１３１を構成するグリッドにおいて、当該グリッドを構成する複数の線条部材のそれぞれの幅は、例えば、ホーンアンテナ１１０が開口部から放射する電波の波長の１／１００倍であり、複数の線条部材を配置する間隔は、例えば、当該波長の１／２０倍である。線条部材の幅は、当該波長の１／１０倍等として、線条部材を配置する間隔は、当該波長の１／５等としても良い。線条部材の幅、及び、線条部材を配置する間隔を広げることにより、反射鏡１２０の製造を容易にすることが可能となる。
第１グリッド反射面１３１を構成するグリッドは、例えば、図２又は図３に示すように、第１反射面１３０の周囲に配置された半円形状の金属フレームに、金属棒からなる線条部材の一端又は両端を固定することにより構成する。グリッドは、ケブラー樹脂等の電波透過性を有する樹脂からなる基板上に、誘電体からなる線条部材を配置することにより構成しても良い。グリッドを構成する線条部材の厚さは、一様であれば、任意の厚さにすることが可能である。
【００２６】
第２反射面１４０は、放射軸を含む第１平面により分割される２つの領域のうち、他方の領域の電波を反射する反射面であって、放射軸方向から見て第１平面に直交する方向に伸びる複数の線条部材からなるグリッドにより構成される第２グリッド反射面１４１を有する。
より具体的には、例えば、図３に示す第２反射面１４０は、半円形状を有し、水平平面により分割される２つの領域のうち、ホーンアンテナ１１０の開口部から見て、水平平面に対して図３における上側の領域の電波を反射する反射面である。図３に示す第２反射面１４０は、放射軸方向から見て水平平面に直交する鉛直方向に伸びる複数の線条部材からなるグリッドにより構成される第２グリッド反射面１４１を有する。実施の形態１に係る第２反射面１４０は、第２グリッド反射面１４１により構成される。すなわち、第２反射面１４０は、第２グリッド反射面１４１により、ホーンアンテナ１１０の開口部から見て、水平平面に対して図３における上側の領域の電波を反射する。
【００２７】
第２グリッド反射面１４１におけるグリッドを構成する複数の線条部材のそれぞれの幅、及び、複数の線条部材を配置する間隔は、第１グリッド反射面１３１を構成するグリッドにおける幅及び間隔と同様であるため、説明を省略する。
第２グリッド反射面１４１におけるグリッドを構成する方法は、第１グリッド反射面１３１におけるグリッドを構成する方法と同様であるため、説明を省略する。
【００２８】
第３反射面１５０は、放射軸を含み、且つ、第１平面と直交する第２平面より分割される２つの領域のうち、一方の領域の電波を反射する反射面であって、放射軸方向から見て第２平面に直交する方向に伸びる複数の線条部材からなるグリッドにより構成される第３グリッド反射面１５１を有する。
より具体的には、例えば、図３に示す第３反射面１５０は、半円形状を有し、放射軸を含む鉛直平面により分割される２つの領域のうち、ホーンアンテナ１１０の開口部から見て、鉛直平面に対して図３における右側の領域の電波を反射する反射面である。第３反射面１５０は、放射軸方向から見て鉛直平面に伸びる複数の線条部材からなるグリッドにより構成される第３グリッド反射面１５１を有する。実施の形態１に係る第３反射面１５０は、第３グリッド反射面１５１により構成される。すなわち、第３反射面１５０は、第３グリッド反射面１５１により、ホーンアンテナ１１０の開口部から見て、鉛直平面に対して図３における右側の領域の電波を反射する。
【００２９】
第３グリッド反射面１５１におけるグリッドを構成する複数の線条部材のそれぞれの幅、及び、複数の線条部材を配置する間隔は、第１グリッド反射面１３１を構成するグリッドにおける幅及び間隔と同様であるため、説明を省略する。
第３グリッド反射面１５１におけるグリッドを構成する方法は、第１グリッド反射面１３１におけるグリッドを構成する方法と同様であるため、説明を省略する。
【００３０】
第４反射面１６０は、放射軸を含む第２平面より分割される２つの領域のうち、他方の領域の電波を反射する反射面である。
実施の形態１に係る第４反射面１６０は、当該領域の電波を反射する反射面であって、放射軸方向から見て第２平面に直交する方向に伸びる複数の線条部材からなるグリッドにより構成される第４グリッド反射面１６１を有するものである。
より具体的には、例えば、図３に示す第４反射面１６０は、半円形状を有し、放射軸を含む鉛直平面により分割される２つの領域のうち、ホーンアンテナ１１０の開口部から見て、鉛直平面に対して図３における左側の領域の電波を反射する反射面である。第３反射面１５０は、放射軸方向から見て鉛直平面に伸びる複数の線条部材からなるグリッドにより構成される第４グリッド反射面１６１を有する。実施の形態１に係る第４反射面１６０は、第４グリッド反射面１６１により構成される。すなわち、第４反射面１６０は、第４グリッド反射面１６１により、ホーンアンテナ１１０の開口部から見て、鉛直平面に対して図３における左側の領域の電波を反射する。
【００３１】
第４グリッド反射面１６１におけるグリッドを構成する複数の線条部材のそれぞれの幅、及び、複数の線条部材を配置する間隔は、第１グリッド反射面１３１を構成するグリッドにおける幅及び間隔と同様であるため、説明を省略する。
第４グリッド反射面１６１におけるグリッドを構成する方法は、第１グリッド反射面１３１におけるグリッドを構成する方法と同様であるため、説明を省略する。
【００３２】
反射鏡１２０は、第１反射面１３０、第２反射面１４０、第３反射面１５０、及び第４反射面１６０が、放射軸方向において、それぞれ異なる位置に配置されたものである。
具体的は、例えば、図２に示す反射鏡１２０は、いずれも半円形状の第１反射面１３０、第３反射面１５０、第２反射面１４０、及び第４反射面１６０を、それぞれの半円形状の弦を２等分する点を放射軸方向から見て揃え、当該点を中心として放射軸の回転方向にそれぞれの弦を９０度ずつ回転させた状態で、ホーンアンテナ１１０の開口部に近い側から、第１反射面１３０、第３反射面１５０、第２反射面１４０、及び第４反射面１６０の順に重ねて固定したものである。
【００３３】
より具体的には、反射鏡１２０は、第３反射面１５０が、第１反射面１３０と第３反射面１５０との放射軸方向における位置の違い、及び第３反射面１５０の形状により、放射軸方向に直交する面である放射面において、第３反射面１５０で反射した電波の位相を第１反射面１３０で反射した電波の位相に対して９０度遅延させ、第２反射面１４０が、第１反射面１３０と第２反射面１４０との放射軸方向における位置の違い、及び第２反射面１４０の形状により、放射面において、第２反射面１４０で反射した電波の位相を第１反射面１３０で反射した電波の位相に対して１８０度遅延させ、第４反射面１６０が、第１反射面１３０と第４反射面１６０との放射軸方向における位置の違い、及び第４反射面１６０の形状により、放射面において、第４反射面１６０で反射した電波の位相を第１反射面１３０で反射した電波の位相に対して２７０度遅延させるように、第１反射面１３０、第３反射面１５０、第２反射面１４０、及び第４反射面１６０のそれぞれを重ねて配置したものである。
第１反射面１３０と第２反射面１４０とは、それぞれ、例えば、非特許文献１の図２等に開示された形状を有する。また、第３反射面１５０と第４反射面１６０とは、それぞれ、例えば、非特許文献１の図２等に開示された形状を有する。
【００３４】
なお、反射鏡１２０は、第３反射面１５０が、第３反射面１５０で反射した電波の位相を第１反射面１３０で反射した電波の位相に対して９０度遅延させ、第２反射面１４０が、第２反射面１４０で反射した電波の位相を第１反射面１３０で反射した電波の位相に対して１８０度遅延させ、第４反射面１６０が、第４反射面１６０で反射した電波の位相を第１反射面１３０で反射した電波の位相に対して２７０度遅延させる位置に、第１反射面１３０、第２反射面１４０、第３反射面１５０、及び第４反射面１６０のそれぞれを重ねて配置したものであれば、第１反射面１３０、第２反射面１４０、第３反射面１５０、及び第４反射面１６０を重ねる順は、限定されるものではない。
例えば、図２に示す反射鏡１２０は、一例として、第１反射面１３０、第３反射面１５０、第２反射面１４０、及び第４反射面１６０をホーンアンテナ１１０の開口部に近い側から、それぞれの弦をホーンアンテナ１１０の開口部から見て反時計回りに９０度回転させて、第１反射面１３０、第３反射面１５０、第２反射面１４０、及び第４反射面１６０の順に重ねて配置したものであるが、反射鏡１２０は、それぞれの弦をホーンアンテナ１１０の開口部から見て時計回りに９０度回転させたものであっても良い。
【００３５】
図４を参照して、実施の形態１に係る反射鏡１２０が電波を反射する電界について説明する。
図４は、実施の形態１に係る反射鏡１２０が有する第１反射面１３０、第３反射面１５０、第２反射面１４０、及び第４反射面１６０の、それぞれに入射する入射波が有する電界ベクトル、及び、それぞれで反射する反射波が有する電界ベクトルの一例を示す図である。
上述のように、ホーンアンテナ１１０は、円形導波管のＴＭ０１モード、又は同軸線路のＴＥＭモードで励振された放射状の電界ベクトル３１を有する電波を開口部から放射する。
【００３６】
ホーンアンテナ１１０が放射した電波した放射状の電界ベクトル３１を有する電波の一部は、入射波として、ホーンアンテナ１１０の開口部に最も近い位置に配置された第１反射面１３０に入射する。具体的には、ホーンアンテナ１１０が放射した電波のうち、第１反射面１３０の位置に対応する電波は、入射波として第１反射面１３０に入射する。
【００３７】
第１反射面１３０は、第１グリッド反射面１３１により構成されているため、入射された入射波の一部を反射波として反射し、残部を透過させる。より具体的には、第１反射面１３０である第１グリッド反射面１３１は、第１グリッド反射面１３１に入射された入射波が有する２つの偏波のうち、第１グリッド反射面１３１におけるグリッドを構成する複数の線条部材が伸びる方向、すなわち、図４における縦方向に振動する偏波（以下「垂直偏波」という。）を反射する。第１グリッド反射面１３１で反射した反射波は、図４に示す電界ベクトル３６を有する。また、第１反射面１３０である第１グリッド反射面１３１は、第１グリッド反射面１３１に入射された入射波が有する２つの偏波のうち、第１グリッド反射面１３１におけるグリッドを構成する複数の線条部材が伸びる方向に第１反射面１３０において直交する方向、すなわち、図４における横方向に振動する偏波（以下「水平偏波」という。）を透過する。
【００３８】
第１反射面１３０を透過した透過波（以下「第１透過波」という。）と、ホーンアンテナ１１０が放射した電波のうち第１反射面１３０に入射していない電波とを含む電波（以下「第１電波」という。）は、図４に示す電界ベクトル３２を有する。電界ベクトル３２は、電界ベクトル３１から、電界ベクトル３６に対応する成分を除いたものである。
【００３９】
電界ベクトル３２を有する第１電波の一部は、入射波として、第３反射面１５０に入射する。具体的には、第１電波のうち、第３反射面１５０の位置に対応する電波は、入射波として第３反射面１５０に入射する。
第３反射面１５０は、第３グリッド反射面１５１により構成されているため、入射された入射波の一部を反射波として反射し、残部を透過させる。より具体的には、第３反射面１５０である第３グリッド反射面１５１は、第３グリッド反射面１５１に入射された入射波が有する２つの偏波のうち、第３グリッド反射面１５１におけるグリッドを構成する複数の線条部材が伸びる方向、すなわち、図４における横方向に振動する水平偏波を反射する。第３グリッド反射面１５１で反射した反射波は、図４に示す電界ベクトル３７を有する。また、第３反射面１５０である第３グリッド反射面１５１は、第３グリッド反射面１５１に入射された入射波が有する２つの偏波のうち、第３グリッド反射面１５１におけるグリッドを構成する複数の線条部材が伸びる方向に第３反射面１５０において直交する方向、すなわち、図４における縦方向に振動する垂直偏波を第２透過波として透過する。
【００４０】
ホーンアンテナ１１０が放射した電波のうち第１反射面１３０又は第３反射面１５０のいずれにも入射していない電波、第１透過波のうち第３反射面１５０に入射していない第１透過波、並びに、第２透過波を含む電波（以下「第２電波」という。）は、図４に示す電界ベクトル３３を有する。電界ベクトル３３は、電界ベクトル３２から、電界ベクトル３７に対応する成分を除いたものである。
【００４１】
電界ベクトル３３を有する第２電波の一部は、入射波として第２反射面１４０に入射する。具体的には、第２電波のうち、第２反射面１４０の位置に対応する電波は、入射波として第２反射面１４０に入射する。
第２反射面１４０は、第２グリッド反射面１４１により構成されているため、入射された入射波の一部を反射波として反射し、残部を透過させる。より具体的には、第２反射面１４０である第２グリッド反射面１４１は、第２グリッド反射面１４１に入射された入射波が有する２つの偏波のうち、第２グリッド反射面１４１におけるグリッドを構成する複数の線条部材が伸びる方向、すなわち、図４における縦方向に振動する垂直偏波を反射する。第２反射面１４０で反射した反射波は、図４に示す電界ベクトル３８を有する。また、第２反射面１４０である第２グリッド反射面１４１は、第２グリッド反射面１４１に入射された入射波が有する２つの偏波のうち、第２グリッド反射面１４１におけるグリッドを構成する複数の線条部材が伸びる方向に第２反射面１４０において直交する方向、すなわち、図４における横方向に振動する水平偏波を第３透過波として透過する。
【００４２】
第１透過波のうち第３反射面１５０に入射していない第１透過波、第２透過波のうち第２反射面１４０に入射していない第２透過波、及びに、第３透過波を含む電波（以下「第３電波」という。）は、図４に示す電界ベクトル３４を有する。電界ベクトル３４は、電界ベクトル３３から、電界ベクトル３８に対応する成分を除いたものである。
なお、第２反射面１４０で反射した反射波の位相は、第１反射面１３０で反射した反射波の位相に対して、１８０度遅延するため、第２反射面１４０で反射した反射波が有する電界ベクトル３８の向きと、第１反射面１３０で反射した反射波が有する電界ベクトル３６の向きとは、同じ方向に揃う。
【００４３】
電界ベクトル３３を有する第３電波は、入射波として、第４反射面１６０に入射する。具体的には、第３電波は、第４反射面１６０の位置に対応する電波であるため、第３電波における全ての電波は、入射波として第４反射面１６０に入射する。
第４反射面１６０は、入射された入射波を反射波として反射する。より具体的には、第４反射面１６０である第４グリッド反射面１６１は、第４グリッド反射面１６１に入射された入射波が有する偏波である、第４グリッド反射面１６１におけるグリッドを構成する複数の線条部材が伸びる方向、すなわち、図４における横方向に振動する水平偏波を反射する。第４反射面１６０で反射した反射波は、図４に示す電界ベクトル３９を有する。
なお、第４反射面１６０で反射した反射波の位相は、第３反射面１５０で反射した反射波の位相に対して、１８０度遅延するため、第４反射面１６０で反射した反射波が有する電界ベクトル３９の向きと、第３反射面１５０で反射した反射波が有する電界ベクトル３７の向きとは、同じ方向に揃う。
【００４４】
第１反射面１３０、第３反射面１５０、第２反射面１４０、及び第４反射面１６０のそれぞれで反射した反射波を合成した合成反射波は、図４に示す電界ベクトル４０を有する。
なお、合成反射波において、第３反射面１５０で反射した反射波に含まれる水平偏波の位相は、第１反射面１３０で反射した反射波に含まれる垂直偏波の位相、及び、第２反射面１４０で反射した反射波に含まれる垂直偏波の位相に対して、９０度ずれたものとなる。また、合成反射波において、第４反射面１６０で反射した反射波に含まれる水平偏波の位相は、第１反射面１３０で反射した反射波に含まれる垂直偏波の位相に対して、２７０度、すなわち、９０度ずれたものなり、且つ、第２反射面１４０で反射した反射波に含まれる垂直偏波の位相に対して、９０度ずれたものとなる。
すなわち、合成反射波は、円偏波を有する電波となることから、アンテナ装置１００は、円偏波を放射するアンテナ装置１００として動作する。
【００４５】
図５から図７を参照して、実施の形態１に係るアンテナ装置１００におけるホーンアンテナ１１０と反射鏡１２０との配置例について説明する。
図５、図６、及び図７は、実施の形態１に係るアンテナ装置１００におけるホーンアンテナ１１０と反射鏡１２０との相対的な配置の一例を示す図である。
図５に示すアンテナ装置１００は、ホーンアンテナ１１０と反射鏡１２０とを、ホーンアンテナ１１０の開口部と反射鏡１２０が有する第１反射面１３０、第２反射面１４０、第３反射面１５０、及び第４反射面１６０とが正対する位置及び方向に配置したものである。
図５に示すアンテナ装置１００は、ホーンアンテナ１１０が開口部からホーン軸方向に放射した電波が、反射鏡１２０における第１反射面１３０、第２反射面１４０、第３反射面１５０、及び第４反射面１６０で反射して、第１反射面１３０、第２反射面１４０、第３反射面１５０、及び第４反射面１６０で反射した電波である反射波がホーン軸方向、すなわち、ホーンアンテナ１１０に向かって進行する。
図５に示すように、アンテナ装置１００におけるホーンアンテナ１１０と反射鏡１２０とを配置する場合、反射面で反射した反射波がホーンアンテナ１１０に当たることにより反射波が散乱し、反射波の放射パターンが乱れてしまう。また、当該場合、反射面で反射した反射波の一部がホーンアンテナ１１０の入力ポート（不図示）に入射してしまう割合が大きくなってしまう。
【００４６】
図６に示すアンテナ装置１００は、ホーンアンテナ１１０と反射鏡１２０とを、反射鏡１２０が有する第１反射面１３０、第２反射面１４０、第３反射面１５０、及び第４反射面１６０が、ホーンアンテナ１１０が開口部から放射した電波をホーンアンテナ１１０に当たらない方向に向かって反射させる位置及び方向に配置したものである。
図６に示すように、ホーンアンテナ１１０が開口部からホーン軸方向に放射した電波の進行方向と、第１反射面１３０、第２反射面１４０、第３反射面１５０、及び第４反射面１６０で反射した反射波の進行方向である放射軸方向とは、予め定められた角度７５だけ異なる。予め定められた角度７５は、第１反射面１３０、第２反射面１４０、第３反射面１５０、及び第４反射面１６０で反射した反射波がホーンアンテナ１１０に当たらないように設定されていれば、当該角度７５は、任意の角度７５で良い。
図６に示すように、アンテナ装置１００におけるホーンアンテナ１１０と反射鏡１２０とを配置することにより、反射波がホーンアンテナ１１０に当たることにより反射波が散乱せずに、反射波の放射パターンが乱れることを抑制することができる。
【００４７】
図７に示すアンテナ装置１００は、ホーンアンテナ１１０と反射鏡１２０とを、反射鏡１２０が有する第１反射面１３０、第２反射面１４０、第３反射面１５０、及び第４反射面１６０が、ホーンアンテナ１１０が開口部から放射した電波をホーンアンテナ１１０に当たらない方向に向かって反射させる位置及び方向に配置したものである。
特に、図７に示すアンテナ装置１００は、図６に示すアンテナ装置１００において、ホーンアンテナ１１０が開口部からホーン軸方向に放射した電波の進行方向と、第１反射面１３０、第２反射面１４０、第３反射面１５０、及び第４反射面１６０で反射した反射波の進行方向である放射軸方向とが、予め９０度異なるように設定されたものである。
図７に示すように、アンテナ装置１００におけるホーンアンテナ１１０と反射鏡１２０とを配置することにより、反射波がホーンアンテナ１１０に当たることにより反射波が散乱せずに、反射波の放射パターンが乱れることを抑制することができる。
【００４８】
一般に、ホーンアンテナ１１０が励振装置と接続されていることから、ホーンアンテナ１１０を移動させて、反射鏡１２０が反射した反射波の進行方向である放射軸方向を変更することが困難である。これに対して、図７に示すアンテナ装置１００は、ホーン軸に対して軸対称な構造となるため、ホーンアンテナ１１０を固定したまま、ホーン軸を中心として反射鏡１２０を回転させることにより、ホーン軸に対して軸対称な反射波を放射するように反射波の進行方向である放射軸方向を変更することができる。
【００４９】
以上のように、アンテナ装置１００は、電波を放射するホーンアンテナ１１０と、ホーンアンテナ１１０が放射した電波を受けて、当該電波を放射軸方向に反射する反射鏡１２０と、を備え、反射鏡１２０は、放射軸を含む第１平面により分割される２つの領域のうち、一方の領域の電波を反射する反射面であって、放射軸方向から見て第１平面に直交する方向に伸びる複数の線条部材からなるグリッドにより構成される第１グリッド反射面１３１を有する第１反射面１３０と、当該２つの領域のうち、他方の領域の電波を反射する反射面であって、放射軸方向から見て第１平面に直交する方向に伸びる複数の線条部材からなるグリッドにより構成され第２グリッド反射面１４１を有する第２反射面１４０と、放射軸を含み、且つ、第１平面と直交する第２平面より分割される２つの領域のうち、一方の領域の電波を反射する反射面であって、放射軸方向から見て第２平面に直交する方向に伸びる複数の線条部材からなるグリッドにより構成される第３グリッド反射面１５１を有する第３反射面１５０と、当該２つの領域のうち、他方の領域の電波を反射する第４反射面１６０と、を有し、第１反射面１３０、第２反射面１４０、第３反射面１５０、及び第４反射面１６０は、放射軸方向において、それぞれ異なる位置に配置され、第３反射面１５０は、第１反射面１３０と第３反射面１５０との放射軸方向における位置の違い、及び第３反射面１５０の形状により、放射軸方向に直交する面である放射面において、第３反射面１５０で反射した電波の位相を第１反射面１３０で反射した電波の位相に対して９０度遅延させ、第２反射面１４０は、第１反射面１３０と第２反射面１４０との放射軸方向における位置の違い、及び第２反射面１４０の形状により、放射面において、第２反射面１４０で反射した電波の位相を第１反射面１３０で反射した電波の位相に対して１８０度遅延させ、第４反射面１６０は、第１反射面１３０と第４反射面１６０との放射軸方向における位置の違い、及び第４反射面１６０の形状により、放射面において、第４反射面１６０で反射した電波の位相を第１反射面１３０で反射した電波の位相に対して２７０度遅延させるように構成した。
【００５０】
このように構成することで、アンテナ装置１００は、２つの偏波成分の両方を有効に活用して、アンテナ利得を改善することができる。
より具体的には、このように構成することで、アンテナ装置１００は、２つの偏波成分を分離するグリッドを設けることにより、２つの偏波成分の両方を電波の放射に寄与させることができる。
また、このように構成することで、アンテナ装置１００は、円偏波を有する電波を放射することができる。
【００５１】
また、アンテナ装置１００は、上述の構成において、第４反射面１６０は、放射軸方向から見て第２平面に直交する方向に伸びる複数の線条部材からなるグリッドにより構成される第４グリッド反射面１６１を有するように構成した。
このように構成することで、アンテナ装置１００は、２つの偏波成分の両方を有効に活用して、アンテナ利得を改善することができる。
より具体的には、このように構成することで、アンテナ装置１００は、２つの偏波成分を分離するグリッドを設けることにより、２つの偏波成分の両方を電波の放射に寄与させることができる。
また、このように構成することで、アンテナ装置１００は、円偏波を有する電波を放射することができる。
【００５２】
更に、アンテナ装置１００は、上述の構成において、第１反射面１３０は、第１グリッド反射面１３１により構成され、第２反射面１４０は、第２グリッド反射面１４１により構成され、第３反射面１５０は、第３グリッド反射面１５１により構成され、第４反射面１６０は、第４グリッド反射面１６１により構成されるように構成した。
このように構成することで、アンテナ装置１００は、２つの偏波成分の両方を有効に活用して、アンテナ利得を改善することができる。
より具体的には、このように構成することで、アンテナ装置１００は、２つの偏波成分を分離するグリッドを設けることにより、２つの偏波成分の両方を電波の放射に寄与させることができる。したがって、アンテナ装置１００は、従来方法によるアンテナ利得と比較して、アンテナ利得が２倍となり、３ｄＢ以上向上することができる。
また、このように構成することで、アンテナ装置１００は、円偏波を有する電波を放射することができる。
【００５３】
また、アンテナ装置１００は、上述の構成において、反射鏡１２０は、反射鏡１２０で反射した電波が、ホーンアンテナ１１０に当たらない方向に向かって、ホーンアンテナ１１０が放射した電波を反射するように配置されるように構成した。
このように構成することで、アンテナ装置１００は、反射波がホーンアンテナ１１０に当たることにより反射波が散乱せずに、反射波の放射パターンが乱れることを抑制することができる。
【００５４】
更に、アンテナ装置１００は、上述の構成において、反射鏡１２０は、反射鏡１２０で反射した電波が、ホーンアンテナ１１０が放射した電波の進行方向に対して９０度異なる方向に向かって、ホーンアンテナ１１０が放射した電波を反射するように配置されるように構成した。
このように構成することで、アンテナ装置１００は、反射波がホーンアンテナ１１０に当たることにより反射波が散乱せずに、反射波の放射パターンが乱れることを抑制することができる。
また、このように構成することで、アンテナ装置１００は、ホーン軸を中心として反射鏡１２０を回転させることにより、ホーン軸に対して軸対称な反射波を放射するように反射波の進行方向である放射軸方向を変更することができる。
【００５５】
実施の形態２．
図８から図１０を参照して実施の形態２に係るアンテナ装置１００ａについて説明する。
アンテナ装置１００ａは、実施の形態１に係るアンテナ装置１００が備える反射鏡１２０が、反射鏡１２０ａに変更されたものである。
実施の形態２に係るアンテナ装置１００ａの構成において、実施の形態１に係るアンテナ装置１００と同様の構成については、同じ符号を付して重複した説明を省略する。
【００５６】
図８を参照して、実施の形態２に係るアンテナ装置１００ａの構成について説明する。
図８は、実施の形態２に係るアンテナ装置１００ａの要部の構成の一例を示す図である。
アンテナ装置１００ａは、ホーンアンテナ１１０、及び反射鏡１２０ａを備える。
ホーンアンテナ１１０は、一次放射器として動作し、円形導波管のＴＭ０１モード、又は同軸線路のＴＥＭモードで励振した電波を開口部からホーン軸方向に向かって放射する。
反射鏡１２０ａは、ホーンアンテナ１１０が開口部から放射した電波を受けて、当該電波を反射する。反射鏡１２０ａにおける反射面で反射した電波である反射波は、反射鏡１２０ａが配置される向きに対応する予め定められた方向である放射軸方向に向かって進行する。
なお、放射軸は、反射波の放射面における中央に位置するものであるとする。放射軸は、反射波の放射面における完全なる中央に位置するものとは限らず、中央とは略中央を含むものである。
【００５７】
図９は、実施の形態２に係る反射鏡１２０ａを分解した一例を示す分解図である。
反射鏡１２０ａは、例えば、図９に示すように、第１反射面１３０ａ、第２反射面１４０ａ、第３反射面１５０ａ、及び第４反射面１６０ａにより構成される。
【００５８】
第１反射面１３０ａは、放射軸を含む第１平面により分割される２つの領域のうち、一方の領域の電波を反射する反射面であって、放射軸方向から見て第１平面に直交する方向に伸びる複数の線条部材からなるグリッドにより構成される第１グリッド反射面１３１ａを有する。
より具体的には、例えば、図９に示す第１反射面１３０ａは、半円形状を有し、放射軸を含む水平平面により分割される２つの領域のうち、ホーンアンテナ１１０の開口部から見て、水平平面に対して図９における下側の領域の電波を反射する反射面である。図９に示す第１反射面１３０ａは、放射軸方向から見て水平平面に直交する方向に伸びる複数の線条部材からなるグリッドにより構成される第１グリッド反射面１３１ａを有する。実施の形態２に係る第１反射面１３０ａは、第１グリッド反射面１３１ａにより構成される。すなわち、第１反射面１３０ａは、第１グリッド反射面１３１ａにより、ホーンアンテナ１１０の開口部から見て、水平平面に対して図９における下側の領域の電波を反射する。
【００５９】
第１グリッド反射面１３１ａを構成するグリッドにおいて、当該グリッドを構成する複数の線条部材のそれぞれの幅は、例えば、ホーンアンテナ１１０が開口部から放射する電波の波長の１／１００倍であり、複数の線条部材を配置する間隔は、例えば、当該波長の１／２０倍である。線条部材の幅は、当該波長の１／１０倍等として、線条部材を配置する間隔は、当該波長の１／５等としても良い。線条部材の幅、及び、線条部材を配置する間隔を広げることにより、反射鏡１２０ａの製造を容易にすることが可能となる。
第１グリッド反射面１３１ａを構成するグリッドは、例えば、図８又は図９に示すように、第１反射面１３０ａの周囲に配置された半円形状の金属フレームに、金属棒からなる線条部材の一端又は両端を固定することにより構成する。グリッドは、ケブラー樹脂等の電波透過性を有する樹脂からなる基板上に、誘電体からなる線条部材を配置することにより構成しても良い。グリッドを構成する線条部材の厚さは、一様であれば、任意の厚さにすることが可能である。
【００６０】
第２反射面１４０ａは、放射軸を含む第１平面により分割される２つの領域のうち、他方の領域の電波を反射する反射面であって、放射軸方向から見て第１平面に直交する方向に伸びる複数の線条部材からなるグリッドにより構成される第２グリッド反射面１４１を有する。
より具体的には、例えば、図９に示す第２反射面１４０ａは、半円形状を有し、水平平面により分割される２つの領域のうち、水平平面に対して、ホーンアンテナ１１０の開口部から見て図９における上側の領域の電波を反射する反射面である。図９に示す第２反射面１４０ａは、放射軸方向から見て水平平面に直交する方向に伸びる複数の線条部材からなるグリッドにより構成される第２グリッド反射面１４１ａと、一様な鏡面により構成される第２通常反射面１４２ａとを有する。実施の形態２に係る第２反射面１４０ａは、第２グリッド反射面１４１ａと第２通常反射面１４２ａとにより構成される。
【００６１】
より具体的には、例えば、第２反射面１４０ａは、第２グリッド反射面１４１ａにより、水平平面に対して、ホーンアンテナ１１０の開口部から見て図９における上側の領域の電波のうち、放射軸を含む鉛直平面に対して、ホーンアンテナ１１０の開口部から見て図９における左側の領域の電波を反射する。また、第２反射面１４０ａは、第２通常反射面１４２ａにより、水平平面に対して、ホーンアンテナ１１０の開口部から見て図９における上側の領域の電波のうち、鉛直平面に対して、ホーンアンテナ１１０の開口部から見て図９における右側の領域の電波を反射する。
【００６２】
第２グリッド反射面１４１ａにおけるグリッドを構成する複数の線条部材のそれぞれの幅、及び、複数の線条部材を配置する間隔は、第１グリッド反射面１３１ａを構成するグリッドにおける幅及び間隔と同様であるため、説明を省略する。
第２グリッド反射面１４１ａにおけるグリッドを構成する方法は、第１グリッド反射面１３１ａにおけるグリッドを構成する方法と同様であるため、説明を省略する。
第２反射面１４０ａは、例えば、それぞれ異なる工程で製造された第２グリッド反射面１４１ａと第２通常反射面１４２ａとを固定することにより製造する。
【００６３】
第３反射面１５０ａは、放射軸を含み、且つ、第１平面と直交する第２平面より分割される２つの領域のうち、一方の領域の電波を反射する反射面であって、放射軸方向から見て第２平面に直交する方向に伸びる複数の線条部材からなるグリッドにより構成される第３グリッド反射面１５１ａを有する。
より具体的には、例えば、図９に示す第３反射面１５０ａは、半円形状を有し、放射軸を含む鉛直平面により分割される２つの領域のうち、鉛直平面に対して、ホーンアンテナ１１０の開口部から見て図９における右側の領域の電波を反射する反射面である。図９に示す第３反射面１５０ａは、放射軸方向から見て鉛直平面に伸びる複数の線条部材からなるグリッドにより構成される第３グリッド反射面１５１ａと、一様な鏡面により構成される第３通常反射面１５２ａとを有する。実施の形態２に係る第３反射面１５０ａは、第３グリッド反射面１５１ａと第３通常反射面１５２ａとにより構成される。
【００６４】
より具体的には、例えば、第３反射面１５０ａは、第３グリッド反射面１５１ａにより、鉛直平面に対して、ホーンアンテナ１１０の開口部から見て図９における右側の領域の電波のうち、水平平面に対して、ホーンアンテナ１１０の開口部から見て図９における上側の領域の電波を反射する。また、第３反射面１５０ａは、第３通常反射面１５２ａにより、鉛直平面に対して、ホーンアンテナ１１０の開口部から見て図９における右側の領域の電波のうち、水平平面に対して、ホーンアンテナ１１０の開口部から見て図９における下側の領域の電波を反射する。
【００６５】
第３グリッド反射面１５１ａにおけるグリッドを構成する複数の線条部材のそれぞれの幅、及び、複数の線条部材を配置する間隔は、第１グリッド反射面１３１ａを構成するグリッドにおける幅及び間隔と同様であるため、説明を省略する。
第３グリッド反射面１５１ａにおけるグリッドを構成する方法は、第１グリッド反射面１３１ａにおけるグリッドを構成する方法と同様であるため、説明を省略する。
第３反射面１５０ａは、例えば、それぞれ異なる工程で製造された第３グリッド反射面１５１ａと第３通常反射面１５２ａとを固定することにより製造する。
【００６６】
第４反射面１６０ａは、放射軸を含む第２平面より分割される２つの領域のうち、他方の領域の電波を反射する反射面である。
実施の形態２に係る第４反射面１６０ａは、一様な鏡面により構成される第４通常反射面１６２ａを有する。実施の形態２に係る第４反射面１６０ａは、第４通常反射面１６２ａにより構成される。
より具体的には、例えば、図９に示す第４反射面１６０ａは、半円形状を有し、放射軸を含む鉛直平面により分割される２つの領域のうち、ホーンアンテナ１１０の開口部から見て、図９に示す鉛直平面より左側の領域の電波を反射する反射面である。実施の形態２に係る第４反射面１６０ａは、第４通常反射面１６２ａにより構成され、第４反射面１６０ａは、第４グリッド反射面１６１ａにより、ホーンアンテナ１１０の開口部から見て、図９に示す鉛直平面より左側の領域の電波を反射する。
【００６７】
反射鏡１２０ａは、第１反射面１３０ａ、第２反射面１４０ａ、第３反射面１５０ａ、及び第４反射面１６０ａが、放射軸方向において、それぞれ異なる位置に配置されたものである。
具体的は、例えば、図８に示す反射鏡１２０ａは、いずれも半円形状の第１反射面１３０ａ、第３反射面１５０ａ、第２反射面１４０ａ、及び第４反射面１６０ａを、それぞれの半円形状の弦を２等分する点を放射軸方向から見て揃え、当該点を中心として放射軸の回転方向にそれぞれの弦を９０度ずつ回転させた状態で、ホーンアンテナ１１０の開口部に近い側から、第１反射面１３０ａ、第３反射面１５０ａ、第２反射面１４０ａ、及び第４反射面１６０ａの順に重ねて固定したものである。
【００６８】
より具体的には、反射鏡１２０ａは、第３反射面１５０ａが、第１反射面１３０ａと第３反射面１５０ａとの放射軸方向における位置の違い、及び第３反射面１５０ａの形状により、放射軸方向に直交する面である放射面において、第３反射面１５０ａで反射した電波の位相を第１反射面１３０ａで反射した電波の位相に対して９０度遅延させ、第２反射面１４０ａが、第１反射面１３０ａと第２反射面１４０ａとの放射軸方向における位置の違い、及び第２反射面１４０ａの形状により、放射面において、第２反射面１４０ａで反射した電波の位相を第１反射面１３０ａで反射した電波の位相に対して１８０度遅延させ、第４反射面１６０ａが、第１反射面１３０ａと第４反射面１６０ａとの放射軸方向における位置の違い、及び第４反射面１６０ａの形状により、放射面において、第４反射面１６０ａで反射した電波の位相を第１反射面１３０ａで反射した電波の位相に対して２７０度遅延させるように、第１反射面１３０ａ、第３反射面１５０ａ、第２反射面１４０ａ、及び第４反射面１６０ａのそれぞれを重ねて配置したものである。
第１反射面１３０ａと第２反射面１４０ａとは、それぞれ、例えば、非特許文献１の図２等に開示された形状を有する。また、第３反射面１５０ａと第４反射面１６０ａとは、それぞれ、例えば、非特許文献１の図２等に開示された形状を有する。
【００６９】
なお、図８に示す反射鏡１２０ａは、一例として、第１反射面１３０ａ、第３反射面１５０ａ、第２反射面１４０ａ、及び第４反射面１６０ａを、ホーンアンテナ１１０の開口部に近い側から、それぞれの弦をホーンアンテナ１１０の開口部から見て反時計回りに９０度回転させて、第１反射面１３０ａ、第３反射面１５０ａ、第２反射面１４０ａ、及び第４反射面１６０ａの順に重ねて配置したものであるが、反射鏡１２０ａは、それぞれの弦をホーンアンテナ１１０の開口部から見て時計回りに９０度回転させたものであっても良い。反射鏡１２０ａが、第１反射面１３０ａ、第３反射面１５０ａ、第２反射面１４０ａ、及び第４反射面１６０ａを、それぞれの弦をホーンアンテナ１１０の開口部から見て時計回りに９０度回転させたものである場合、第２反射面１４０ａにおける第２グリッド反射面１４１ａの位置と第２通常反射面１４２ａの位置とを入れ替え、第３反射面１５０ａにおける第３グリッド反射面１５１ａの位置と第３通常反射面１５２ａの位置とを入れ替える必要がある。
【００７０】
図１０を参照して、実施の形態２に係る反射鏡１２０ａが電波を反射する電界について説明する。
図１０は、実施の形態２に係る反射鏡１２０ａが有する第１反射面１３０ａ、第３反射面１５０ａ、第２反射面１４０ａ、及び第４反射面１６０ａの、それぞれに入射する入射波が有する電界ベクトル、及び、それぞれで反射する反射波が有する電界ベクトルの一例を示す図である。
ホーンアンテナ１１０は、円形導波管のＴＭ０１モード、又は同軸線路のＴＥＭモードで励振された放射状の電界ベクトル３１を有する電波を開口部から放射する。
【００７１】
ホーンアンテナ１１０が放射した電波した放射状の電界ベクトル３１を有する電波の一部は、入射波として、ホーンアンテナ１１０の開口部に最も近い位置に配置された第１反射面１３０ａに入射する。具体的には、ホーンアンテナ１１０が放射した電波のうち、第１反射面１３０ａの位置に対応する電波は、入射波として第１反射面１３０ａに入射する。
【００７２】
第１反射面１３０ａは、第１グリッド反射面１３１ａにより構成されているため、入射された入射波の一部を反射波として反射し、残部を透過させる。より具体的には、第１反射面１３０ａである第１グリッド反射面１３１ａは、第１グリッド反射面１３１ａに入射された入射波が有する２つの偏波のうち、第１グリッド反射面１３１ａにおけるグリッドを構成する複数の線条部材が伸びる方向、すなわち、図１０における縦方向に振動する垂直偏波を反射する。第１グリッド反射面１３１ａで反射した反射波は、図４と同様に、図１０に示す電界ベクトル３６を有する。また、第１反射面１３０ａである第１グリッド反射面１３１ａは、第１グリッド反射面１３１ａに入射された入射波が有する２つの偏波のうち、第１グリッド反射面１３１ａにおけるグリッドを構成する複数の線条部材が伸びる方向に第１反射面１３０ａにおいて直交する方向、すなわち、図１０における横方向に振動する水平偏波を透過する。
【００７３】
第１反射面１３０ａを透過した第１透過波と、ホーンアンテナ１１０が放射した電波のうち第１反射面１３０ａに入射していない電波とを含む第１電波は、図４と同様に、図１０に示す電界ベクトル３２を有する。電界ベクトル３２は、図４と同様に、電界ベクトル３１から、電界ベクトル３６に対応する成分を除いたものである。
【００７４】
電界ベクトル３２を有する第１電波の一部は、入射波として、第３反射面１５０ａに入射する。具体的には、第１電波のうち、第３反射面１５０ａの位置に対応する電波は、入射波として第３反射面１５０ａに入射する。
より具体的には、第３反射面１５０ａの位置に対応する電波のうち、第１反射面１３０ａを透過した第１透過波は、第３反射面１５０ａにおける第３通常反射面１５２ａに入射され、図１０における横方向に振動する水平偏波を反射する。また、第３反射面１５０ａの位置に対応する電波のうち、第１反射面１３０ａを透過していない電波は、第３反射面１５０ａにおける第３グリッド反射面１５１ａに入射され、第３グリッド反射面１５１ａに入射された入射波が有する２つの偏波のうち、第３グリッド反射面１５１ａにおけるグリッドを構成する複数の線条部材が伸びる方向、すなわち、図１０における横方向に振動する水平偏波を反射する。第３通常反射面１５２ａと第３グリッド反射面１５１ａとにより構成された第３反射面１５０ａで反射した反射波は、図４と同様に、図１０に示す電界ベクトル３７を有する。
【００７５】
第３反射面１５０ａである第３グリッド反射面１５１ａは、第３グリッド反射面１５１ａに入射された入射波が有する２つの偏波のうち、第３グリッド反射面１５１ａにおけるグリッドを構成する複数の線条部材が伸びる方向に第３反射面１５０ａにおいて直交する方向、すなわち、図１０における縦方向に振動する垂直偏波を第２透過波として透過する。
ホーンアンテナ１１０が放射した電波のうち第１反射面１３０ａ及び第３反射面１５０ａのいずれにも入射していない電波、第１透過波のうち第３反射面１５０ａに入射していない第１透過波、並びに、第２透過波を含む第２電波は、図４と同様に、図１０に示す電界ベクトル３３を有する。電界ベクトル３３は、図４と同様に、電界ベクトル３２から、電界ベクトル３７に対応する成分を除いたものである。
【００７６】
電界ベクトル３３を有する第２電波の一部は、入射波として第２反射面１４０ａに入射する。具体的には、第２電波のうち、第２反射面１４０ａの位置に対応する電波は、入射波として第２反射面１４０ａに入射する。
より具体的には、第２反射面１４０ａの位置に対応する電波のうち、第３反射面１５０ａを透過した第２透過波は、第２反射面１４０ａにおける第２通常反射面１４２ａに入射され、図１０における縦方向に振動する垂直偏波を反射する。また、第２反射面１４０ａの位置に対応する電波のうち、第３反射面１５０ａを透過していない電波は、第２反射面１４０ａにおける第２グリッド反射面１４１ａに入射され、第２グリッド反射面１４１ａに入射された入射波が有する２つの偏波のうち、第２グリッド反射面１４１ａにおけるグリッドを構成する複数の線条部材が伸びる方向、すなわち、図１０における縦方向に振動する垂直偏波を反射する。第２通常反射面１４２ａと第２グリッド反射面１４１ａとにより構成された第２反射面１４０ａで反射した反射波は、図４と同様に、図１０に示す電界ベクトル３７を有する。
【００７７】
第２反射面１４０ａである第２グリッド反射面１４１ａは、第２グリッド反射面１４１ａに入射された入射波が有する２つの偏波のうち、第２グリッド反射面１４１ａにおけるグリッドを構成する複数の線条部材が伸びる方向に第２反射面１４０ａにおいて直交する方向、すなわち、図１０における横方向に振動する水平偏波を第３透過波として透過する。
第１透過波のうち第３反射面１５０ａに入射していない第１透過波、第２透過波のうち第２反射面１４０ａに入射していない第２透過波、及びに、第３透過波を含む第３電波は、図４と同様に、図１０に示す電界ベクトル３４を有する。電界ベクトル３４は、図４と同様に、電界ベクトル３３から、電界ベクトル３８に対応する成分を除いたものである。
なお、第２反射面１４０ａで反射した反射波の位相は、第１反射面１３０ａで反射した反射波の位相に対して、１８０度遅延するため、図４と同様に、第２反射面１４０ａで反射した反射波が有する電界ベクトル３８の向きと、第１反射面１３０ａで反射した反射波が有する電界ベクトル３６の向きとは、同じ方向に揃う。
【００７８】
電界ベクトル３３を有する第３電波は、入射波として、第４反射面１６０ａに入射する。具体的には、第３電波は、第４反射面１６０ａの位置に対応する電波であるため、第３電波における全ての電波は、入射波として第４反射面１６０ａに入射する。
第４反射面１６０ａは、入射された入射波を反射波として反射する。より具体的には、第４反射面１６０ａは、第４通常反射面１６２ａにより、第４反射面１６０ａに入射された入射波が有する水平偏波を反射する。第４反射面１６０ａで反射した反射波は、図４と同様に、図１０に示す電界ベクトル３９を有する。
なお、第４反射面１６０ａで反射した反射波の位相は、第３反射面１５０ａで反射した反射波の位相に対して、１８０度遅延するため、図４と同様に、第４反射面１６０ａで反射した反射波が有する電界ベクトル３９の向きと、第３反射面１５０ａで反射した反射波が有する電界ベクトル３７の向きとは、同じ方向に揃う。
【００７９】
第１反射面１３０ａ、第２反射面１４０ａ、第３反射面１５０ａ、及び第４反射面１６０ａのそれぞれで反射した反射波を合成した合成反射波は、図４と同様に、図１０に示す電界ベクトル４０を有する。
なお、合成反射波において、第３反射面１５０ａで反射した反射波に含まれる水平偏波の位相は、第１反射面１３０ａで反射した反射波に含まれる垂直偏波の位相、及び、第２反射面１４０ａで反射した反射波に含まれる垂直偏波の位相に対して、９０度ずれたものとなる。また、合成反射波において、第４反射面１６０ａで反射した反射波に含まれる水平偏波の位相は、第１反射面１３０ａで反射した反射波に含まれる垂直偏波の位相に対して、２７０度、すなわち、９０度ずれたものなり、且つ、第２反射面１４０ａで反射した反射波に含まれる垂直偏波の位相に対して、９０度ずれたものとなる。
すなわち、合成反射波は、円偏波を有する電波となることから、アンテナ装置１００ａは、円偏波を放射するアンテナ装置１００ａとして動作する。
【００８０】
以上のように、アンテナ装置１００ａは、電波を放射するホーンアンテナ１１０と、ホーンアンテナ１１０が放射した電波を受けて、当該電波を放射軸方向に反射する反射鏡１２０ａと、を備え、反射鏡１２０ａは、放射軸を含む第１平面により分割される２つの領域のうち、一方の領域の電波を反射する反射面であって、放射軸方向から見て第１平面に直交する方向に伸びる複数の線条部材からなるグリッドにより構成される第１グリッド反射面１３１ａを有する第１反射面１３０ａと、当該２つの領域のうち、他方の領域の電波を反射する反射面であって、放射軸方向から見て第１平面に直交する方向に伸びる複数の線条部材からなるグリッドにより構成され第２グリッド反射面１４１ａを有する第２反射面１４０ａと、放射軸を含み、且つ、第１平面と直交する第２平面より分割される２つの領域のうち、一方の領域の電波を反射する反射面であって、放射軸方向から見て第２平面に直交する方向に伸びる複数の線条部材からなるグリッドにより構成される第３グリッド反射面１５１ａを有する第３反射面１５０ａと、当該２つの領域のうち、他方の領域の電波を反射する第４反射面１６０ａと、を有し、第１反射面１３０ａ、第２反射面１４０ａ、第３反射面１５０ａ、及び第４反射面１６０ａは、放射軸方向において、それぞれ異なる位置に配置され、第３反射面１５０ａは、第１反射面１３０ａと第３反射面１５０ａとの放射軸方向における位置の違い、及び第３反射面１５０ａの形状により、放射軸方向に直交する面である放射面において、第３反射面１５０ａで反射した電波の位相を第１反射面１３０ａで反射した電波の位相に対して９０度遅延させ、第２反射面１４０ａは、第１反射面１３０ａと第２反射面１４０ａとの放射軸方向における位置の違い、及び第２反射面１４０ａの形状により、放射面において、第２反射面１４０ａで反射した電波の位相を第１反射面１３０ａで反射した電波の位相に対して１８０度遅延させ、第４反射面１６０ａは、第１反射面１３０ａと第４反射面１６０ａとの放射軸方向における位置の違い、及び第４反射面１６０ａの形状により、放射面において、第４反射面１６０ａで反射した電波の位相を第１反射面１３０ａで反射した電波の位相に対して２７０度遅延させるように構成した。
【００８１】
このように構成することで、アンテナ装置１００ａは、２つの偏波成分の両方を有効に活用して、アンテナ利得を改善することができる。
より具体的には、このように構成することで、アンテナ装置１００ａは、２つの偏波成分を分離するグリッドを設けることにより、２つの偏波成分の両方を電波の放射に寄与させることができる。
また、このように構成することで、アンテナ装置１００ａは、円偏波を有する電波を放射することができる。
【００８２】
また、アンテナ装置１００ａは、上述の構成において、第３グリッド反射面１５１ａは、放射軸方向から見て、第１グリッド反射面１３１ａと重ならない第３反射面１５０ａにおける領域に配置され、第２グリッド反射面１４１ａは、放射軸方向から見て、第３グリッド反射面１５１ａと重ならない第２反射面１４０ａにおける領域に配置されるように構成した。
このように構成することで、アンテナ装置１００ａは、反射鏡１２０ａにおけるグリッドにより構成される反射面の面積を実施の形態１に係る反射鏡１２０と比較して減らすことができる。グリッドにより構成される反射面は、一様な鏡面により構成される通常の反射面と比較して構造が複雑である。
そのため、このように構成することで、アンテナ装置１００ａは、２つの偏波成分の両方を有効に活用して、アンテナ利得を改善しつつ、実施の形態１に係る反射鏡１２０と比較して、反射鏡１２０ａを容易に製造することができる。
【００８３】
更に、アンテナ装置１００ａは、上述の構成において、第１反射面１３０ａは、第１グリッド反射面１３１ａにより構成され、第３グリッド反射面１５１ａは、放射軸方向から見て、第２反射面１４０ａと重なる第３反射面１５０ａにおける領域に配置され、第２グリッド反射面１４１ａは、放射軸方向から見て、第４反射面１６０ａと重なる第２反射面１４０ａにおける領域に配置されように構成した。
このように構成することで、アンテナ装置１００ａは、反射鏡１２０ａにおけるグリッドにより構成される反射面の面積を実施の形態１に係る反射鏡１２０と比較して減らすことができる。
より具体的には、このように構成することで、アンテナ装置１００ａは、２つの偏波成分を分離するグリッドを設けることにより、２つの偏波成分の両方を電波の放射に寄与させることができる。したがって、アンテナ装置１００ａは、従来方法によるアンテナ利得と比較して、アンテナ利得が２倍となり、３ｄＢ以上向上することができる。
また、このように構成することで、アンテナ装置１００ａは、２つの偏波成分の両方を有効に活用して、アンテナ利得を改善しつつ、実施の形態１に係る反射鏡１２０と比較して、反射鏡１２０ａを容易に製造することができる。
【００８４】
また、アンテナ装置１００ａは、上述の構成において、反射鏡１２０ａは、反射鏡１２０ａで反射した電波が、ホーンアンテナ１１０に当たらない方向に向かって、ホーンアンテナ１１０が放射した電波を反射するように配置されるように構成した。
このように構成することで、アンテナ装置１００ａは、反射波がホーンアンテナ１１０に当たることにより反射波が散乱せずに、反射波の放射パターンが乱れることを抑制することができる。
【００８５】
更に、アンテナ装置１００ａは、上述の構成において、反射鏡１２０ａは、反射鏡１２０ａで反射した電波が、ホーンアンテナ１１０が放射した電波の進行方向に対して９０度異なる方向に向かって、ホーンアンテナ１１０が放射した電波を反射するように配置されるように構成した。
このように構成することで、アンテナ装置１００ａは、反射波がホーンアンテナ１１０に当たることにより反射波が散乱せずに、反射波の放射パターンが乱れることを抑制することができる。
また、このように構成することで、アンテナ装置１００ａは、ホーン軸を中心として反射鏡１２０ａを回転させることにより、ホーン軸に対して軸対称な反射波を放射するように反射波の進行方向である放射軸方向を変更することができる。
【００８６】
なお、この発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８７】
この発明に係るアンテナ装置は、電波放射器に適用することができる。
【符号の説明】
【００８８】
１０，１１，１２，１３，１４，１５  電界ベクトル、１６，１７，１８  反射面、３１，３２，３３，３４，３６，３７，３８，３９，４０  電界ベクトル、７５  角度、１００，１００ａ  アンテナ装置、１１０  ホーンアンテナ、１２０，１２０ａ  反射鏡、１３０，１３０ａ  第１反射面、１３１，１３１ａ  第１グリッド反射面、１４０，１４０ａ  第２反射面、１４１，１４１ａ  第２グリッド反射面、１４２ａ  第２通常反射面、１５０，１５０ａ  第３反射面、１５１，１５１ａ  第３グリッド反射面、１５２ａ  第３通常反射面、１６０，１６０ａ  第４反射面、１６１，１６１ａ  第４グリッド反射面、１６２ａ  第４通常反射面。
【図１】
0006945779.tif 000002
【図２】
0006945779.tif 000003
【図３】
0006945779.tif 000004
【図４】
0006945779.tif 000005
【図５】
0006945779.tif 000006
【図６】
0006945779.tif 000007
【図７】
0006945779.tif 000008
【図８】
0006945779.tif 000009
【図９】
0006945779.tif 000010
【図１０】
0006945779.tif 000011